(57)【要約】      （修正有）【課題】小型船の離着岸時のロープ結策作業を簡易化し岸壁からの沖出し距離や船の係留解きを瞬時に行うことの出来るロープ締め装置を提供する。【解決手段】ロープ保持部材軸２８を設けたケース底板に、逆回転防止ギア２１と滑車溝に複数のコブを設けた滑車１８とを同軸上に一体化させたロープ保持部材２２をロープ保持部材軸に回転自在に設け、逆回転防止ギアに相対する爪用ばね２３により付勢されたケース底板に支持軸を持つ逆回転防止爪２４と、中間部をケース底板に設けられた支持軸６に支持され一方にロープ挟み部５、他方に解除レバー環７を持つロープ押さえ金具８と、ロープ挟み部をロープ挟みばね１９により滑車溝に付勢押圧させ、滑車溝からのロープはみ出し防止用のロープガイド２６をロープ保持部材の外周に非接触になるように設備し、それぞれの軸に対応する軸受を装備したケース蓋板をケース底板と固定組み合わせる。【選択図】図１
0003228757.tif 000002
【実用新案登録請求の範囲】
【請求項１】
逆回転防止ギアと滑車とを同軸上に一体化させたロープ保持部材と前記逆回転防止ギアにかみ合う爪用ばねにより負勢された逆回転防止爪と前記滑車の滑車溝面に複数のコブを設け、一方にロープ挟み部、中間部に支持軸、他方に解除レバー環を備えたロープ押さえ金具の前記ロープ挟み部をロープ挟みばねにより前記滑車溝面に負勢押圧させ、前記ロープ保持部材の一部外周に非接触のロープはみ出し防止用ロープガイドを設置し、ロープの出入り及び前記解除レバー環の必要開口部と外面にロープ押さえ金具解除用紐通し環を設けたケース内に固定装備したことを特徴とするロープ引き締め装置。
【考案の詳細な説明】
【技術分野】
【０００１】  本考案は船のロープ係留時に使われるロープ引き締め装置に関する。
【背景技術】
【０００２】  比較的小型の漁船、ヨット、レジャーボートなど使用人口も増えヨットハーバーなどの環境も整ってきた。そのような中、船の係留、係留解きに舫い綱の扱いを速やかになるためには時間と技が必要であった。特に綱の径が十数ミリ程度のヨットなどレジャーボートでは使用時期が限られているため舫い綱の扱い熟練度が低く係留、係留解きに時間や結びに不備が生じていたりした。
【考案の概要】
【考案が解決しようとする課題】
【０００３】  比較的小型の漁船や最近多くなってきたヨット、レジャーボートなどの船の係留、係留解きに時間を必要としたり結びに不備が生じたりしていた。また岸壁から数メートル沖出しロープ係留時に、岸壁側のビットに船側からロープを掛け適宜沖出しし素早くもやい結びをするわけだが係留距離が長かったり短かったりしていた。【０００４】  また船を係留解きする場合ロープを引き、船を岸壁に寄せビットのもやい結びを解いて乗船していた。本考案はこれらの一連の動作を簡易化し、沖出し距離や船の係留解きを瞬時に行うことができる装置を提供することにある。
【考案を解決するための手段】
【０００５】  逆回転防止ギヤと滑車とを同軸上に一体化させたロープ保持部材と前記逆回転防止ギヤにかみ合う爪用ばねにより負勢された逆回転防止爪と前記滑車の滑車溝面に複数のコブを設け、一方にロープ挟み部、中間部に支持軸、他方に解除レバー環を備えたロープ押さえ金具の前記ロープ挟み部をロープ挟みばねにより前記滑車溝面に負勢押圧させ、前記ロープ保持部材の一部外周に非接触のロープはみ出し防止用のロープガイドを設置し、ロープの出入り及び前記解除レバー環の必要開口部と外面にロープ押さえ金具解除用紐通し環を設けたケース内に固定装備したことを特徴とするロープ引き締め装置
【考案の効果】
【０００６】  比較的小型の漁船や最近多くなってきたヨット、レジャーボートなどの船の係留、係留解きの時間を短くしたり、係留不備をなくしたり、岸壁から数メートル沖出しロープ係留を迅速にできるなどがあげられる。つまり本考案のロープ引き締め装置のコブ付き滑車にロープを通し、舫い綱として使用するとロープを引くだけで緩むことなく船を繁留することができ、沖出し係留も簡単にできるものである。
【０００７】  また船を係留解きする場合はロープを引き、船を岸壁に寄せ本考案のロープ押さえ金具解除レバーを引きロープを緩めることで一連の動作を瞬時に終わらせることができる。
【図面の簡単な説明】
【０００８】
【図１】  本考案のロープ引き締め装置の平面図
【図２】  本考案のロープ引き締め装置の正面図
【図３】  本考案のロープ引き締め装置の斜視図
【図４】  本考案のロープ引き締め装置駆動部の平面図
【図５】  本考案のロープ引き締め装置を装備した船の使用参考側面図
【図６】  本考案のロープ引き締め装置を装備した船の使用参考平面図
【考案を実施するための形態】
【０００９】  図５、図６から、本考案のロープ引き締め装置１は船の船首部にある船首舫い取部２に固定設備し、船の係留場所の陸側ビット３に船の離岸係留距離の約３倍程度の長さの舫いロープ４を、一方をビット３に固縛し、他方を自由端として設けてある。また船尾には船尾舫い取部１２があり、この船尾舫い取部１２に固縛する船尾係留用ロープ１３は一端をアンカー１４により海底に固定させ、さらに船尾係留ロープ１３の適宜位置に船の離岸用錘１５を係止させ、他端を浮１６に固縛し海面に浮かせておく。
【００１０】  また図１から、本考案のロープ引き締め装置１には一方にロープ挟み部５、中間部に支持軸６、他方に解除レバー環７を備えたロープ押さえ金具８が装備されて、解除レバー環７にロープ押え金具押し付け用赤紐９、ロープ押え金具解除用紐通し環１０を経由したロープ押え金具解除用青紐１１の二本が装着されている。
【実施例】
【００１１】  船の船首からの着岸係留時、船が着岸場所に着くと海面の浮に接続された船尾係留ロープ１３を浮１６ごと引き上げ、船尾にある船尾舫い取部１２に固縛する。【００１２】  次に船の船首を岸壁に寄せて上陸し、陸側ビット３に舫いつけられた舫いロープ４の自由端を船に持ち込み、本考案のロープ引き締め装置１のロープ差込口１７から入れて、コブ付き滑車１８を一周させて陸側に上陸し保持する。この時ロープ引き締め装置１のロープ押さえ金具押し付け用赤紐９とロープ押さえ金具解除用青紐１０も一緒に上陸保持する。船は船尾係留ロープ１３に装着した錘１５により後退し、上陸した舫いロープ４を離岸距離が適宜位置になるように陸側から引く。舫いロープ４が張った後、引く力を弱めるとロープ戻りが発生し、ロープ挟みばね１９により負勢されたロープ押さえ金具８のロープ挟み部５とコブ付き滑車１８の滑車溝面２０との間でクサビ効果が発生し舫いロープ４を強く係止させる。この時、ロープ押さえ金具押し付け用赤紐９を引くことで更にクサビ効果が増大する。【００１３】  船の離岸係留解きは、舫いロープ４を引き寄せ船首を岸壁に寄せ乗船する。船尾係留ロープ１３をはずし浮１６ごと海面に放置する。ロープ押さえ金具８の解除レバー環７に係止されたロープ押さえ金具解除用青紐１１を引くことでロープ押さえ金具８のロープ挟み部５とコブ付き滑車１８の滑車溝面２０との間で発生していたクサビ効果が解除され舫いロープ４が緩む。この舫いロープ４を本考案のロープ引き締め装置１からはずし、舫いロープ４の自由端を陸側にもどし、ロープ押さえ金具押し付け用赤紐９とロープ押さえ金具解除用青紐１１を船上に回収する。【００１４】  つぎに本考案のロープ引き締め装置１の構成について図１、図２、図３、図４をもって説明する。
逆回転防止ギヤ２１と滑車１８とを同軸上に一体化させたロープ保持部材２２は、前記逆回転防止ギヤ２１にかみ合う爪用ばね２３により負勢された逆回転防止爪２４により一定方向回転となっている。前記滑車１８の滑車溝面２０には複数のコブ２５が設けられている。【００１５】  また一方にロープ挟み部５と中間部に支持軸６、他方に解除レバー環７を備えたロープ押さえ金具８のロープ挟み部５は、ロープ挟みばね１９により複数のコブ２５が設けられている滑車溝面２０を負勢押圧している。【００１６】  ロープ保持部材２２の一部外周にはロープ保持部材２２とは非接触固定のロープはみ出し防止用のロープガイド２６が設備され、ロープの出入り口１７及び解除レバー環７の必要開口部と外面にロープ押さえ金具解除用紐通し環１０を設けた強固な金属製ケース２７内に固定装備した船用のロープ引き締め装置である。【００１７】  つまり本考案のロープ引き締め装置は、比較的小型の漁船や最近多くなってきたヨット、レジャーボートなどの船の係留、係留解きの時間を短くしたり、係留不備をなくしたり、岸壁から数メートル沖出しロープ係留を簡単迅速にできることを目的としたものである。すなわち本考案のロープ引き締め装置の滑車に舫いロープを通し、滑車溝面にあるコブとロープ押さえ金具のロープ挟み部とによってできるクサビ効果により舫いロープが緩むことなく船を繁留することができ、沖出し係留も簡単にできるものである。【０００７】  また船を係留解きする場合は、陸上のビットに固縛してある舫いロープを引き、船を岸壁に寄せ乗船し、本考案のロープ押さえ金具解除用紐を引き、舫いロープを緩めロープの自由端を陸上に移し、陸上にあるロープ押さえ金具解除用青紐およびロープ押さえ金具押し付け用赤紐を船上に回収し、端部に浮が装備されている船尾係留ロープを船尾舫い取部から解き海面に放置することで係留解きの一連の動作を終わらせることができる。
【符号の説明】１：ロープ引き締め装置
２：船首舫い取部
３：ビット
４：舫いロープ
５：ロープ挟み部
６：支持軸
７：解除レバー環
８：ロープ押さえ金具
９：ロープ押さえ金具押し付け用赤紐
１０：ロープ押さえ金具解除用紐通し環
１１：ロープ押さえ金具解除用青紐
１２：船尾舫い取部
１３：船尾係留ロープ
１４：アンカー
１５：錘
１６：浮
１７：ロープ出入り口
１８：滑車
１９：ロープ挟みばね
２０：滑車溝面
２１：逆回転防止ギヤ
２２：ロープ保持部材
２３：爪用ばね
２４：逆回転防止爪
２５：コブ
２６：ロープガイド
２７：ケース
２８：ロープ保持部材軸
【図１】
0003228757.tif 000003
【図２】
0003228757.tif 000004
【図３】
0003228757.tif 000005
【図４】
0003228757.tif 000006
【図５】
0003228757.tif 000007
【図６】
0003228757.tif 000008
【手続補正書】
【提出日】令和2年7月13日(2020.7.13)
【手続補正１】
【補正対象書類名】実用新案登録請求の範囲
【補正対象項目名】全文
【補正方法】変更
【補正の内容】
【実用新案登録請求の範囲】
【請求項１】
ロープ保持部材軸を設けたケース底板に、逆回転防止ギアと滑車溝に複数のコブを設けた滑車とを同軸上に一体化させたロープ保持部材を前記ロープ保持部材軸に回転自在に設け、前記逆回転防止ギアに相対する爪用ばねにより付勢された前記ケース底板に支持軸を持つ逆回転防止爪と、中間部を前記ケース底板に設けられた支持軸に支持され一方にロープ挟み部、他方に解除レバー環を持つロープ押さえ金具と、前記ロープ挟み部をロープ挟みばねにより前記滑車溝に付勢押圧させ、前記滑車溝からのロープはみ出し防止用のロープガイドを前記ロープ保持部材の外周に非接触になるように設備し、前記それぞれの軸に対応する軸受を装備したケース蓋板を前記ケース底板と固定組み合わせてなるロープ締め装置。